(57)【特許請求の範囲】
【請求項１】
建物の窓を規定する枠体と、建物の窓を開閉する障子と、気流に基づいて障子に建物の窓に対する自然開閉を行わせる自然開閉手段と、障子に建物の窓に対する閉鎖を強制的に行わせる強制閉鎖手段とを具備しており、自然開閉手段は、障子の上部及び下部のうちの一方を上下動自在に且つ当該一方を水平方向に伸びた第一の水平軸心を中心として回転自在に支持する第一の支持機構と、障子の上部及び下部間の中間部を建物内外方向に移動自在に且つ水平方向に伸びた第二の水平軸心を中心として回転自在に支持する第二の支持機構とを具備しており、第二の支持機構は、障子に設けられていると共に第二の水平軸心を有した軸体と、枠体に設けられていると共に軸体を建物内外方向に移動自在に且つ第二の水平軸心を中心として回転自在に支持する軸支持体とを具備しており、第二の水平軸心は、障子の自重により当該障子に建物の窓の自然開放を生じさせるように、障子による建物の窓の全閉から全開までは障子の重心を通る鉛直線上から建物内外方向に外れており、軸支持体は、軸体の建物内外方向の移動を案内するように建物内外方向に伸びていると共に軸体を挟んで当該軸体を建物内外方向に移動自在に且つ第二の水平軸心を中心として回転自在に支持する一対の案内壁を有しており、強制閉鎖手段は、枠体に水平方向に伸びた第三の水平軸心を中心として回転自在に設けられた腕部材と、この腕部材を第一及び第二の回転位置に配するように腕部材を回転させる回転手段とを具備しており、腕部材は、第一の回転位置では、一対の案内壁に沿った軸体の建物内外方向の移動を禁止すると共に建物の窓を閉鎖する位置に障子を固定するように軸体に係合する一方、第二の回転位置では、建物の窓を閉鎖する位置への障子の固定を解除すると共に一対の案内壁に沿った軸体の建物内外方向の移動を許容するように軸体への係合を解除するようになっており、回転手段は、第一の連結部材と、この第一の連結部材の一端部を腕部材の一端部に水平方向に伸びた第四の水平軸心を中心として回転自在に且つ直動自在に連結する連結機構と、第一の連結部材の他端部に一端部で水平方向に伸びた第五の水平軸心を中心として回転自在に連結された第二の連結部材と、この第二の連結部材の他端部に連結されていると共に当該第二の連結部材の他端部を中心として第二の連結部材を回転させる回転機構とを具備しており、連結機構は、第四の水平軸心を有した連結軸体と、腕部材の一端部に設けられていると共に連結軸体を挟む更に他の一対の案内壁と、枠体に設けられていると共に連結軸体を挟んで第三の水平軸心を中心として円弧状に伸びた一対の円弧状案内壁とを具備している自然換気窓。
【請求項２】
第一の支持機構は、障子の上部及び下部のうちの一方に設けられていると共に第一の水平軸心を有した他の軸体と、この他の軸体の上下方向の移動を案内するように上下方向に伸びていると共に当該他の軸体を挟んで他の軸体を上下方向に移動自在に且つ第一の水平軸心を中心として回転自在に案内する他の一対の案内壁とを有している請求項１に記載の自然換気窓。
【請求項３】
回転機構は、第二の連結部材を回転させる手動ハンドル又は電動モータを有している請求項１又は２に記載の自然換気窓。
【請求項４】
更に他の一対の案内壁は、腕部材の第二の回転位置では、建物内外方向に伸びる一方、腕部材の第一の回転位置では、上下方向に伸びており、連結機構は、一対の円弧状案内壁の一端に連接されて枠体に設けられていると共に腕部材の第一の回転位置での上下方向に伸びた更に他の一対の案内壁に対応して上下方向に伸びている第四の一対の案内壁を更に有している請求項１から３のいずれか一項に記載の自然換気窓。
【発明の詳細な説明】
【技術分野】
【０００１】
本発明は、気流に基づいて障子を開閉移動させて、建物の窓を開閉させる自然換気窓に関する。
【背景技術】
【０００２】
例えば特許文献１においては、障子の竪框上部に一端が枢着され他端が当該一端よりも低い位置において窓枠の竪枠に枢着されたメインアームと、竪框中間部に一端が枢着され他端が竪枠下部に枢着されており、メインアームよりも長いサブアームとを有しており、サブアームの一端及び窓を閉じた状態にある障子の重心は、鉛直方向に伸びる同一線上に位置するように夫々配されている自然換気窓が提案されており、特許文献２においては、窓全開位置側にある障子の気流に基づく窓閉鎖移動を軽くすると共に窓全閉位置側にある障子の気流に基づく窓閉鎖移動を重くすることができ、而して、窓全開位置側にある障子の気流に基づく開閉移動によって好適に換気することができ、しかも、窓全閉位置側にある障子の急速な開閉移動を防止することができる自然換気窓も提案されている。
【先行技術文献】
【特許文献】
【０００３】
【特許文献１】特開２００３−２４７３７１号公報
【特許文献２】特開２００８−７５３０１号公報
【発明の概要】
【発明が解決しようとする課題】
【０００４】
ところで、斯かる自然換気窓において、自然換気を停止したり、雨等において雨水の浸入を阻止するために手動又は自動で強制的な窓閉鎖を行い得るように障子に連結された牽引紐若しくは牽引ワイヤー又は歯車機構等を用いる場合には、障子の回転に対してこれら牽引紐若しくは牽引ワイヤーの荷重又は歯車機構の摩擦力が負荷されて、弱い気流による窓開放が阻害されて自然換気の動作範囲が限定される上に、自然換気中においても牽引紐若しくは牽引ワイヤーが走行され、歯車機構が動作することになり、異音の発生、早期の消耗を生じさせることになる。
【０００５】
本発明は、前記諸点に鑑みてなされたものであり、その目的とするところは、自然換気に影響を与えないで、必要な際に自然換気を停止したり、雨等において雨水の浸入を阻止するために手動又は自動で強制的な窓閉鎖を行い得る自然換気窓を提供することにある。
【課題を解決するための手段】
【０００６】
本発明の自然換気窓は、建物の窓を規定する枠体と、建物の窓を開閉する障子と、気流に基づいて障子に建物の窓に対する自然開閉を行わせる自然開閉手段と、障子に建物の窓に対する閉鎖を強制的に行わせる強制閉鎖手段とを具備しており、自然開閉手段は、障子の上部及び下部のうちの一方を上下動自在に且つ当該一方を水平方向に伸びた第一の水平軸心を中心として回転自在に支持する第一の支持機構と、障子の上部及び下部間の中間部を建物内外方向に移動自在に且つ水平方向に伸びた第二の水平軸心を中心として回転自在に支持する第二の支持機構とを具備しており、第二の支持機構は、障子に設けられていると共に第二の水平軸心を有した軸体と、枠体に設けられていると共に軸体を建物内外方向に移動自在に且つ第二の水平軸心を中心として回転自在に支持する軸支持体とを具備しており、第二の水平軸心は、障子の自重により当該障子に建物の窓の自然開放を生じさせるように、障子による建物の窓の全閉から全開までは障子の重心を通る鉛直線上から建物内外方向に外れており、軸支持体は、軸体の建物内外方向の移動を案内するように建物内外方向に伸びていると共に軸体を挟んで当該軸体を建物内外方向に移動自在に且つ第二の水平軸心を中心として回転自在に支持する一対の案内壁を有しており、強制閉鎖手段は、枠体に水平方向に伸びた第三の水平軸心を中心として回転自在に設けられた腕部材と、この腕部材を第一及び第二の回転位置に配するように腕部材を回転させる回転手段とを具備しており、腕部材は、第一の回転位置では、一対の案内壁に沿った軸体の建物内外方向の移動を禁止すると共に建物の窓を閉鎖する位置に障子を固定するように軸体に係合する一方、第二の回転位置では、建物の窓を閉鎖する位置への障子の固定を解除すると共に一対の案内壁に沿った軸体の建物内外方向の移動を許容するように軸体への係合を解除するようになっている。
【０００７】
本発明の自然換気窓によれば、障子に建物の窓に対する閉鎖を強制的に行わせる強制閉鎖手段が、枠体に回転自在に設けられた腕部材と、この腕部材を第一及び第二の回転位置に配するように腕部材を回転させる回転手段とを具備しており、腕部材は、第一の回転位置では、一対の案内壁に沿った軸体の建物内外方向の移動を禁止すると共に建物の窓を閉鎖する位置に障子を固定するように軸体に係合する一方、第二の回転位置では、建物の窓を閉鎖する位置への障子の固定を解除すると共に一対の案内壁に沿った軸体の建物内外方向の移動を許容するように軸体への係合を解除するようになっているために、自然換気中における障子への干渉を可及的に少なくできて、自然換気に影響を与えないで、必要な際に手動又は自動で回転手段を作動させることにより自然換気を停止したり、雨等において雨水の浸入を阻止するために強制的な窓閉鎖を行い得る。
【０００８】
第一の支持機構は、好ましい例では、障子の上部及び下部のうちの一方に設けられていると共に第一の水平軸心を有した他の軸体と、この他の軸体の上下方向の移動を案内するように上下方向に伸びていると共に当該他の軸体を挟んで他の軸体を上下方向に移動自在に且つ第一の水平軸心を中心として回転自在に案内する他の一対の案内壁とを有している。
【０００９】
好ましい例の回転手段は、第一の連結部材と、この第一の連結部材の一端部を腕部材の一端部に水平方向に伸びた第四の水平軸心を中心として回転自在に且つ直動自在に連結する連結機構と、第一の連結部材の他端部に一端部で水平方向に伸びた第五の水平軸心を中心として回転自在に連結された第二の連結部材と、この第二の連結部材の他端部に連結されていると共に当該第二の連結部材の他端部を中心として第二の連結部材を回転させる回転機構とを具備しており、斯かる例では、連結機構は、第四の水平軸心を有した連結軸体と、腕部材の一端部に設けられていると共に連結軸体を挟む更に他の一対の案内壁と、枠体に設けられていると共に連結軸体を挟んで第三の水平軸心を中心として円弧状に伸びた一対の円弧状案内壁とを具備しているとよい。
【００１０】
回転機構は、好ましい例では、第二の連結部材を手動で回転させる手動ハンドル又は第二の連結部材を自動で回転させる電動モータを有している。
【００１１】
本発明では、更に他の一対の案内壁は、腕部材の第二の回転位置では、建物内外方向に伸びる一方、腕部材の第一の回転位置では、上下方向に伸びており、連結機構は、一対の円弧状案内壁の一端に連接されて枠体に設けられていると共に腕部材の第一の回転位置での上下方向に伸びた更に他の一対の案内壁に対応して上下方向に伸びている第四の一対の案内壁を更に有してもよい。
【００１２】
回転機構は、第二の連結部材を回転させる手動ハンドル又は電動モータを有していてもよい。
【００１３】
本発明において、各一対の案内壁及び円弧状案内壁は、長孔又は凹所を規定する壁でもって具体化してもよい。
【発明の効果】
【００１４】
本発明によれば、自然換気に影響を与えないで、必要な際に自然換気を停止したり、雨等において雨水の浸入を阻止するために手動又は自動で強制的な窓閉鎖を行い得る自然換気窓を提供し得る。
【図面の簡単な説明】
【００１５】
【図１】図１は本発明の実施の形態の例の全体斜視説明図である。
【図２】図２は図１に示す例の側面断面説明図である。
【図３】図３は図１に示す例の取付板の側面説明図である。
【図４】図４は図１に示す例の枠本体の正面図説明図である。
【図５】図５は図１に示す例の横中央部からの側面断面説明図である。
【図６】図６は図１に示す例の動作説明のための側面断面説明図である。
【図７】図７は図１に示す例の動作説明のための横中央部からの側面断面説明図である。
【発明を実施するための形態】
【００１６】
次に、本発明の実施の形態の例を、図に示す例に基づいて更に詳細に説明する。尚、本発明は、これら例に何等限定されないのである。
【実施例】
【００１７】
図１から図７において、本例の自然換気窓１は、建物内２及び建物外３を連通する建物の窓４を規定する枠体５と、建物の窓４を開閉する障子６と、気流に基づいて障子６に建物の窓４に対する自然開閉を行わせる自然開閉手段７と、障子６に建物の窓４に対する閉鎖を強制的に行わせる強制閉鎖手段８とを具備している。
【００１８】
枠体５は、上枠１１、下枠１２並びに上枠１１及び下枠１２を横方向において橋絡する一対の外縦枠１３及び１４と、外縦枠１３及び１４の夫々に固着された支持板１５及び１６と、外縦枠１３及び１４の夫々に並置されていると共に上枠１１及び下枠１２を縦方向において橋絡する一対の内縦枠１７及び１８と、窓４の周りにおいて枠体５に嵌着されていると共に窓全閉位置にある障子６の外縁に当接して障子６の外縁と協働して窓４を密に閉鎖するシール部材１９とを具備している。
【００１９】
窓４は、上枠１１の下面と、下枠１２の上面と、内縦枠１７及び１８の夫々の内側面とによって規定されており、シール部材１９は、上枠１１及び下枠１２の前面並びに内縦枠１７及び１８の夫々の前面に形成された凹所に嵌着されている。
【００２０】
障子６は、矩形状の障子枠と、この障子枠に嵌め込まれたガラス板とからなるガラス障子であっても、単なる矩形状の開閉板からなる障子であってもよく、外縦枠１３の内側面に固着された支持板１５と外縦枠１４の内側面に固着された支持板１６とは、互いに同様に形成されているので、以下では、外縦枠１３の内側面に固着された支持板１５について詳細に説明して、外縦枠１４の内側面に固着された支持板１６については必要に応じて同一の構成に同一の数字符号に加えて符号ａを付して説明する。
【００２１】
支持板１５は、外縦枠１３の内側面にねじ等により固着された上取付部２１及び下取付部２２と、上取付部２１及び下取付部２２に一体的に形成されている基部２３と、基部２３に一体的に形成されていると共に基部２３から建物外３に向かって突出した突出部２４と、基部２３の上部に形成された長孔２５と、突出部２４に形成された長孔２６と、基部２３の下部に形成された長孔２７とを具備している。
【００２２】
長孔２５は、上端２８から建物外３方向に傾斜して伸びた傾斜長孔部２９と、傾斜長孔部２９の下端に上端で連続して当該上端から下方向に真直ぐに伸びて下端３０で終端した鉛直長孔部３１とを具備している。
【００２３】
長孔２５は、本例のように、傾斜長孔部２９と鉛直長孔部３１とを具備していてもよいが、上下方向に真直ぐに伸びた鉛直長孔部のみでもよい一方、上端から建物外方向に傾斜して伸びた傾斜長孔部のみでもよく、更には、建物外３に中心を有する円弧状長孔部のみでもよい。
【００２４】
長孔２６は、一端３２から水平方向に真直ぐに伸びた水平長孔部３３と、水平長孔部３３の他端に一端で連続して当該一端から上方に向かって傾斜して伸びて他端３４で終端した傾斜長孔部３５とを具備している。
【００２５】
長孔２６は、本例のように、水平長孔部３３と傾斜長孔部３５とを具備していてもよいが、水平方向に真直ぐに伸びた水平長孔部のみでもよい一方、上方又は下方に傾斜して真直ぐに伸びた傾斜長孔部のみでもよく、更には、建物外３に中心を有する円弧状長孔部のみでもよい。
【００２６】
長孔２７は、上端３６から円弧状に伸びた円弧状長孔部３７と、円弧状長孔部３７の下端に上端で連続して当該上端から下方向に真直ぐに伸びて下端３８で終端した鉛直長孔部３９とを具備している。
【００２７】
自然開閉手段７は、障子６の上部４１及び下部４２のうちの一方、本例では上部４１を上下動自在、即ち、鉛直方向Ｖに移動自在に且つ上部４１を鉛直方向Ｖ及び建物内外方向Ａに直交する水平方向に伸びた水平軸心Ｈ１を中心としてＲ１方向に回転自在に支持する支持機構４３と、障子６の上部４１及び下部４２間の中間部４４を鉛直方向Ｖに直交する建物内外方向Ａに移動自在に且つ水平軸心Ｈ１と平行であって水平方向に伸びた他の水平軸心Ｈ２を中心としてＲ２方向に回転自在に支持する支持機構４５とを具備している。
【００２８】
建物内外方向Ａは、本例では、水平軸心Ｈ１及びＨ２並びに鉛直方向Ｖに対して直交する方向であるが、水平軸心Ｈ１及びＨ２に対して直交する方向である一方、鉛直方向Ｖに交差する方向であってもよい。
【００２９】
支持機構４３及び支持機構４５において、外縦枠１３側と外縦枠１４側とは同様に構成されているので、外縦枠１３側について詳細に説明して、外縦枠１４側については必要に応じて同一の構成に同一の数字符号に加えて符号ａを付して説明する。
【００３０】
支持機構４３は、障子６の上部４１に設けられていると共に水平軸心Ｈ１を有した軸体５１と、軸体５１の上下方向、即ち、鉛直方向Ｖの移動を案内するように上下方向（鉛直方向Ｖ）に伸びていると共に軸体５１を挟んで軸体５１を上下方向に移動自在に且つ水平軸心Ｈ１を中心としてＲ１方向に回転自在に案内する一対の案内壁５２及び５３とを有している。
【００３１】
軸体５１は、障子６の上部４１の外縦枠１３側の側面部５５に取付けられた軸部材５６と、軸部材５６に水平軸心Ｈ１を中心としてＲ１方向に回転自在に取付けられた回転自在ローラ５７とを具備している。
【００３２】
一対の案内壁５２及び５３は、支持板１５の基部２３の上方に形成されていると共に回転自在ローラ５７が回転自在に且つ移動自在に配された長孔２５を規定している。
【００３３】
支持機構４３は、障子６による窓４の開閉において、回転自在ローラ５７が長孔２５を規定する一対の案内壁５２及び５３に回転又は摺動されつつ案内されることにより、障子６の上部４１を長孔２５に沿って略鉛直方向Ｖに移動自在に且つ上部４１を水平軸心Ｈ１を中心としてＲ１方向に回転自在に支持するようになっている。
【００３４】
支持機構４５は、障子６の中間部４４に設けられていると共に水平軸心Ｈ２を有した軸体６１と、枠体５に設けられていると共に軸体６１を建物内外方向Ａに移動自在に且つ水平軸心Ｈ２を中心としてＲ２方向に回転自在に支持する軸支持体６２とを具備している。
【００３５】
軸体６１は、障子６の中間部４４の外縦枠１３側の側面部５５に取付けられた軸部材６６と、軸部材６６に水平軸心Ｈ２を中心としてＲ２方向に回転自在に取付けられた回転自在ローラ６７とを具備しており、障子６の自重により障子６による建物の窓４の自然開放を生じさせるように、障子６による建物の窓４の全閉から全開までは障子６の重心Ｇを通る鉛直線６８上から距離δをもって建物外３側に外れる水平軸心Ｈ２を有しており、水平軸心Ｈ２は、障子６による建物の窓４の全開において、障子６の重心Ｇを通る鉛直線６８上に位置するようになっている。
【００３６】
軸支持体６２は、軸体６１の回転自在ローラ６７の建物内外方向Ａの移動を案内するように建物内外方向Ａに伸びていると共に軸体６１の回転自在ローラ６７を挟んで当該軸体６１を建物内外方向Ａに移動自在に且つ水平軸心Ｈ２を中心として回りでＲ２方向に回転自在に支持する一対の案内壁７１及び７２を有している。
【００３７】
一対の案内壁７１及び７２は、支持板１５の建物外３に向かって突出した突出部２４に形成されていると共に回転自在ローラ６７が回転自在に且つ移動自在に配された長孔２６を規定している。
【００３８】
支持機構４５は、障子６による窓４の開閉において、回転自在ローラ６７が長孔２６を規定する一対の案内壁７１及び７２に回転又は摺動されつつ案内されることにより、障子６の中間部４４を長孔２６に沿って建物内外方向Ａに移動自在に且つ中間部４４を水平軸心Ｈ２を中心としてＲ２方向に回転自在に支持するようになっている。
【００３９】
強制閉鎖手段８は、枠体５の支持板１５における突出部２４の根元部に軸７５を介して水平軸心Ｈ２と平行であって水平方向に伸びた当該軸７５の水平軸心Ｈ３を中心としてＲ３方向に回転自在に設けられた腕部材７６と、腕部材７６を図６及び図７に示す第一の回転位置及び図２及び図５に示す第二の回転位置に配するように腕部材７６を水平軸心Ｈ３を中心としてＲ３方向に回転させる回転手段７７とを具備している。
【００４０】
略Ｖ字状の側面形状をもった板状の腕部材７６は、略鉛直方向に直立された第一の回転位置では、一対の案内壁７１及び７２に沿った軸体６１の回転自在ローラ６７の建物内外方向Ａの移動を禁止すると共に建物の窓４を閉鎖する位置に障子６を固定するように軸体６１の回転自在ローラ６７に一方の傾斜縁８１で係合する一方、略水平方向に倒された第二の回転位置では、建物の窓４を閉鎖する位置への障子６の固定を解除すると共に一対の案内壁７１及び７２に沿った軸体６１の回転自在ローラ６７の建物内外方向Ａの移動を許容するように軸体６１の回転自在ローラ６７への一方の傾斜縁８１での係合を解除するようになっている。
【００４１】
一方の端部８２に長孔８３が形成された腕部材７６は、障子６の建物の窓４に対する自然開閉中において長孔２６のいずれかの部位に配された回転自在ローラ６７に他方の傾斜縁８４及び水平縁８５で係合し得るように、第二の回転位置では他方の端部８６が傾斜長孔部３５の下方に位置する長さをもっている。
【００４２】
腕部材７６は、第二の回転位置からＲ３方向における図１において時計回りの方向の回転による第一の回転位置までの回転で、長孔２６のいずれかの部位に位置した回転自在ローラ６７に傾斜縁８１、傾斜縁８４及び水平縁８５のいずれかで下から係合して回転自在ローラ６７を一対の案内壁７１及び７２の案内の下で長孔２６の一端３２側にもたらして障子６による建物の窓４の全閉を生じさせるようになっている一方、第一の回転位置からＲ３方向における図６における反時計回りの方向の回転による第二の回転位置までの回転で、回転自在ローラ６７への傾斜縁８１の係合を解除して長孔２６の一端３２から他端３４までの回転自在ローラ６７の一対の案内壁７１及び７２の案内の下での自由移動を許容して建物の窓４に対する気流に基づく障子６による開閉が行うことができるようにする。
【００４３】
回転手段７７は、板状の連結部材９１と、連結部材９１の一端部９２を腕部材７６の一端部８２に水平軸心Ｈ３と平行であって水平方向に伸びた水平軸心Ｈ４を中心としてＲ４方向に回転自在に且つ長孔８３に沿って直動自在に連結する連結機構９３と、連結部材９１の他端部９５に一端部９６で軸部材９７を介して水平軸心Ｈ４と平行であって水平方向に伸びた軸部材９７の水平軸心Ｈ５を中心としてＲ５方向に回転自在に連結された板状の連結部材９８と、連結部材９８の他端部９９に連結されていると共に当該連結部材９８の他端部９９の中心を中心として連結部材９８をＲ６方向に回転させる回転機構１００とを具備している。
【００４４】
連結機構９３は、水平軸心Ｈ４を有した連結軸体１０１と、腕部材７６の一端部８２に設けられていると共に連結軸体１０１を挟む一対の案内壁１０２及び１０３と、枠体５の支持板１５に設けられていると共に軸７５の水平軸心Ｈ３を中心として円弧状に伸びて一対の案内壁１０２及び１０３と同様に連結軸体１０１を挟む一対の円弧案内壁１０４及び１０５と、一対の円弧案内壁１０４及び１０５の一端に連接されて枠体５の支持板１５に設けられていると共に腕部材７６の第一の回転位置での上下方向に伸びた一対の案内壁１０２及び１０３に対応して上下方向に伸びている一対の案内壁１０６及び１０７とを具備している。
【００４５】
連結軸体１０１は、連結部材９１の一端部９２に取付けられた軸部材１１０と、軸部材１１０に当該軸部材１１０の水平軸心Ｈ４を中心としてＲ４方向に回転自在に取付けられた回転自在ローラ１１１とを具備している。
【００４６】
腕部材７６の第一の回転位置では、上下方向に伸びる一方、腕部材７６の第二の回転位置では、建物内外方向Ａに伸びる一対の案内壁１０２及び１０３は、腕部材７６の一方の端部８２に形成されていると共に回転自在ローラ１１１がＲ４方向に回転自在に且つ移動自在に配された長孔８３を規定している。
【００４７】
一対の円弧案内壁１０４及び１０５並びに一対の案内壁１０６及び１０７は、長孔８３に回転自在に且つ移動自在に配された回転自在ローラ１１１が更にＲ４方向に回転自在に且つ移動自在に配された長孔２７を規定しており、一対の円弧案内壁１０４及び１０５は、長孔２７のうちの円弧状長孔部３７を、一対の案内壁１０６及び１０７は、長孔２７のうちの鉛直長孔部３９を夫々規定している。
【００４８】
回転機構１００は、連結部材９８をＲ６方向に回転させる手動ハンドル又は電動モータ、本例では、外縦枠１３に収容されていると共に出力回転軸が連結部材９８の他端部９９に連結された可逆の電動モータ１１５を有している。
【００４９】
回転機構１００は、電動モータ１１５の作動によるその出力回転軸の回転で連結部材９８をＲ６方向に回転させるようになっている。
【００５０】
回転機構１００においては、電動モータ１１５に代えて又はこれと共に手動ハンドルを用いてもよく、手動ハンドルの操作により連結部材９８をＲ６方向に回転させるようにしてもよい。
【００５１】
回転手段７７は、電動モータ１１５の作動による連結部材９８のＲ６方向における図６及び図７での時計回りの方向の回転で、回転自在ローラ１１１を長孔８３の一端１２１から他端１２２に移行させると共に鉛直長孔部３９の下端３８から上端に同様に移行させた後、電動モータ１１５の更なる作動による連結部材９８のＲ６方向における図６及び図７での時計回りの方向の回転で、軸部材９７、連結部材９１及び連結機構９３を介して腕部材７６を第一の回転位置から第二の回転位置まで回転させる一方、電動モータ１１５の逆作動による連結部材９８のＲ６方向における図２及び図５での反時計回りの方向の回転で、軸部材９７、連結部材９１及び連結機構９３を介して腕部材７６を第二の回転位置から第一の回転位置まで回転させると共に更なる連結部材９８のＲ６方向における図２及び図５での反時計回りの方向の回転で、回転自在ローラ１１１を長孔８３の他端１２２から一端１２１に移行させると共に鉛直長孔部３９の上端から下端３８に同様に移行させるようになっている。
【００５２】
強制閉鎖手段８は、電動モータ１１５の作動による腕部材７６の図２及び図５に示す第二の回転位置への設定により、回転自在ローラ６７の自由移動を許容して建物の窓４に対する気流に基づく障子６による開閉を許容する一方、電動モータ１１５の作動による腕部材７６の図６及び図７に示す第一の回転位置への設定により、障子６による建物の窓４の全閉を生じさせると共に回転自在ローラ１１１の長孔８３の一端１２１及び鉛直長孔部３９の下端３８への移行により、腕部材７６の図６及び図７に示す第一の回転位置への設定を維持できるようになっている。
【００５３】
以上の自然換気窓１において、電動モータ１１５の作動による腕部材７６の図６及び図７に示す第一の回転位置から図２及び図５に示す第一の回転位置への設定により腕部材７６の回転自在ローラ６７への係合を解除して、図６及び図７に示すように窓全閉位置にある障子６の窓開放移動を図５に示すように許容し、当該係合が解除されると、当該窓全閉位置にある障子６には、水平軸心Ｈ２が重心Ｇに対して建物外３側に位置しているために水平軸心Ｈ２を中心とした窓全開位置に向かうＲ２方向の図５において時計回りの方向の回転モーメントが付与され、斯かる回転モーメントが付与され且つ建物内外方向Ａにおいて窓全開位置に向かう移動が許容された障子６は、窓全開位置に向かってＲ２方向に回転し、当該Ｒ２方向の回転に伴って、回転自在ローラ５７は一対の案内壁５２及び５３に案内されて長孔２５に沿って下降する。
【００５４】
障子６が窓全開位置に到達すると、水平軸心Ｈ２が鉛直線６８上に位置して距離δが零となるために、Ｒ２方向の図２において時計回りの方向の回転モーメントは、障子６に付与されなくなる。障子６に付与される窓全開位置に向かうＲ２方向の回転モーメントは、障子６が窓全閉位置から窓全開位置に向かって漸次移動されるに連れて漸減する結果、障子６による急速な窓開放を防止することができる一方、逆に、障子６が窓全開位置から窓全閉位置に向かって漸次移動される場合には、障子６に付与される窓全開位置に向かうＲ２方向の回転モーメントは漸増する。
【００５５】
障子６が窓全開位置に配された場合に、気流により障子６に対して建物外３側が正圧に且つ建物内２側が負圧になると、障子６には気流に基づく窓全閉位置に向かうＲ２方向における図２での反時計回りの方向の回転モーメントが付与され、当該障子６は窓閉鎖位置に向かって回転、移動し、気流に基づいて障子６が更に窓全閉位置に向かって回転、移動されると、水平軸心Ｈ２が重心Ｇに対して建物外３側に位置するので、障子６には、気流に基づく窓全閉位置に向かう移動に抗する窓全開位置に向かう回転、移動力が付与され、斯かる回転、移動力は、障子６が窓全閉位置に近づくに連れて漸増して、小さな気流であっても、当該気流に基づいて障子６の開閉回転、移動を生じさせることができ、しかも、障子６による急速な窓閉鎖をも防止することができる。
【００５６】
しかも、自然換気窓１によれば、障子６に建物の窓４に対する閉鎖を強制的に行わせる強制閉鎖手段８が、枠体５にＲ３方向に回転自在に設けられた腕部材７６と、腕部材７６を第一及び第二の回転位置に配するように腕部材７６を回転させる回転手段７７とを具備しており、腕部材７６は、第一の回転位置では、一対の案内壁７１及び７２に沿った軸体６１の建物内外方向Ａの移動を禁止すると共に建物の窓４を閉鎖する位置に障子６を固定するように軸体６１に係合する一方、第二の回転位置では、建物の窓４を閉鎖する位置への障子６の固定を解除すると共に一対の案内壁７１及び７２に沿った軸体６１の建物内外方向Ａの移動を許容するように軸体６１への係合を解除するようになっているために、自然換気中における障子６への干渉を可及的に少なくできて、自然換気に影響を与えないで、必要な際に自動で回転手段７７を作動させることにより自然換気を停止したり、雨等において雨水の浸入を阻止するために強制的な窓閉鎖を行い得る。
【００５７】
自然換気窓１において、自然開閉手段７は、障子６の上部４１を鉛直方向Ｖに且つ水平軸心Ｈ１の回りでＲ１方向に回転自在に支持する支持機構４３と、障子６の中間部４４を建物内外方向Ａに移動自在に且つ水平軸心Ｈ２の回りでＲ２方向に回転自在に支持する支持機構４５とを具備しているが、これらに代えて、例えば、障子６の中間部４４から下方の下部を鉛直方向に且つ水平軸心の回りで回転自在に支持する第一の支持機構と、障子６の中間部４４を建物内外方向Ａに移動自在に且つ水平軸心の回りで回転自在に支持する第二の支持機構とを具備してもよく、しかも、当該障子６の中間部４４の回転軸心が窓全閉位置にある障子６の重心Ｇに対して上方に位置すると共に当該重心Ｇを通る鉛直線６８上から建物内２側に外れるように配されていてもよい。
【００５８】
また、自然開閉手段７においては、外縦枠１３側と外縦枠１４側との夫々に電動モータ１１５及び１１５ａを設けたが、これに代えて、外縦枠１３側と外縦枠１４側とのうちの一方に電動モータを設けて、この電動モータの出力回転軸の回転を回転伝達軸等を介して外縦枠１３側と外縦枠１４側とのうちの他方に伝達して、回転伝達軸等の回転により外縦枠１３側と外縦枠１４側とのうちの他方の連結部材を回転させるようにしてもよく、このようにすることにより外縦枠１３側と外縦枠１４側との各連結部材を機械的に同期させて回転させることができる。
【符号の説明】
【００５９】
１  自然換気窓
２  建物内
３  建物外
４  窓
５  枠体
６  障子
７  自然開閉手段
８  強制閉鎖手段
【図１】
0005504922.tif 000002
【図２】
0005504922.tif 000003
【図３】
0005504922.tif 000004
【図４】
0005504922.tif 000005
【図５】
0005504922.tif 000006
【図６】
0005504922.tif 000007
【図７】
0005504922.tif 000008